(57)【要約】【課題】検出容器のほぼ全ての試料保持部において、試料検出のために十分な量の試料処理液が確実に保持される検出容器および試料検出方法を提供する。【解決手段】試料保持部の下流側、すなわち試料排出部側のマイクロ流路に２つの折り返し部を設けた検出容器とする。また、当該検出容器を使用する検出方法によって、試料の検出を行う。【選択図】図１
2013156070.tif 000002
【特許請求の範囲】
【請求項１】
２枚のプレートが貼り合わされた板状の試料測定用の容器であって、
試料注入部と、
該試料注入部に接続し、前記２枚のプレート間に配置されるマイクロ流路と、
該マイクロ流路の途中に配置される試料保持部と、
前記マイクロ流路の、前記試料注入部との接続端部とは反対の端部に接続して配置される試料排出部と、を備え、
前記試料保持部と前記試料排出部との間に、前記マイクロ流路が、一旦前記試料注入部側に折り返す第１の折り返し部、つづいて前記試料排出部側に折り返す第２の折り返し部を有することにより、当該第１および第２の折り返し部が存在する部分の前記マイクロ流路の形状がＳ字様形状である、
検出容器。
【請求項２】
前記第１および第２の折り返し部は、クランク状に、直角に複数回方向転換してＳ字様形状となっている、
請求項１に記載の検出容器。
【請求項３】
前記第２の折り返し部と前記試料注入部との直線距離は、前記試料保持部の出口部と前記試料注入部との直線距離よりも短く、
前記出口部は、前記試料保持部と、前記第１および第２の折り返し部が形成される側のマイクロ流路との接続部である、
請求項１または２に記載の検出容器。
【請求項４】
前記第２の折り返し部に接続して空気流入部が配置される、
請求項１〜３いずれか一項に記載の検出容器。
【請求項５】
前記試料注入部とは別の第２試料注入部を有し、該第２試料注入部に接続する、前記マイクロ流路とは別の第２マイクロ流路が、前記試料注入部と前記試料保持部との間で前記マイクロ流路に合流する、
請求項１〜４いずれか一項に記載の検出容器。
【請求項６】
前記第１および第２の折り返し部の少なくとも一方が、複数の角部を有するようにして折り返している、
請求項１〜５いずれか一項に記載の検出容器。
【請求項７】
前記板状の試料測定用の容器はディスク状容器であり、
前記試料注入部は前記ディスク状容器の中央部側の領域に配置され、
前記試料排出部は、前記ディスク状容器の外周部の領域に配置される、
請求項１〜６いずれか一項に記載の検出容器。
【請求項８】
前記試料保持部、前記第１の折り返し部および第２の折り返し部を有する前記マイクロ流路を複数備え、該複数の前記マイクロ流路の各々に１つずつ前記試料注入部および前記試料排出部が接続されている、
請求項１〜７いずれか一項に記載の検出容器。
【請求項９】
前記試料保持部、前記第１の折り返し部および第２の折り返し部を有する前記マイクロ流路を複数備え、該複数の前記マイクロ流路の各々に１つずつ前記試料注入部および前記試料排出部が接続され、
該複数の前記マイクロ流路は、放射状に回転対称で配置される、
請求項７に記載の検出容器。
【請求項１０】
試料注入部、試料保持部が配置されるマイクロ流路、および試料排出部を有する、請求項１〜９いずれか一項に記載の検出容器を使用し、
前記試料注入部に、検査試料を含有する試料液を注入する工程と、
該試料液を前記試料排出部の方向に向けて送液する工程と、
前記検査試料を前記試料保持部に保持すると共に、前記マイクロ流路に前記試料液を満たす工程と、
前記試料液とは成分が異なる試料処理液を前記試料注入部から注入して送液し、前記マイクロ流路および前記試料保持部内を該試料処理液で置換する工程と、
前記試料保持部に保持された前記検査試料に前記試料処理液を作用させる工程と、
該作用による応答を捕捉する工程と、を有する、
試料検出方法。
【請求項１１】
前記検出容器はディスク状容器であり、前記試料液および前記試料処理液の送液は、該ディスク状容器を回転させて遠心力により送液する方法である、
請求項１０に記載の試料検出方法。
【請求項１２】
前記検査試料は生物学的試料である、
請求項１０または１１に記載の試料検出方法。
【発明の詳細な説明】
【技術分野】
【０００１】
本発明は、定性、定量反応あるいは物性測定等によって、各種の微量試料を検出するための検出容器およびそれを使用した試料検出方法に関する。
【背景技術】
【０００２】
微量試料の一例である生物学的試料を分析または検出する技術として、特許文献１は、マイクロ流路および試料検出部であるマイクロチャンバーを複数有する、マイクロウェルアレイと称されるディスク状のマイクロ反応容器について記載している。また、非特許文献１は、免疫学的検定法において、抗体をマイクロビーズに固定し、該マイクロビーズを効率よく試料保持部に保持できるように、マイクロ流路および検出部である試料保持部の形状を所定の形として抗原抗体反応を行う技術を紹介している。
【先行技術文献】
【特許文献】
【０００３】
【特許文献１】特開２００８−１８５４２３号公報
【非特許文献】
【０００４】
【非特許文献１】Ｎ．Ｍａｔｓｕｎａｇａ、Ｓ．Ｆｕｒｕｔａｎｉ、Ｉ．Ｋｕｂｏ、「ＣＥＮＴＲＩＦＵＧＡＬ  ＦＬＯＷ  ＤＥＶＩＣＥ  ＦＯＲ  ＨＩＧＨ−ＴＨＲＯＵＧＨＰＵＴ  ＤＥＴＥＣＴＩＯＮ  ＯＦ  ＣＡＮＣＥＲ  ＭＡＲＫＥＲ  ＣＥＡ」、ＥＣＳ  Ｔｒａｎｓｓａｃｔｉｏｎｓ、２００８年、１６（１１）、ｐ．１２３−１２８
【発明の概要】
【発明が解決しようとする課題】
【０００５】
微量試料、例えば微粒子状の試料を検出する場合、微粒子状試料を試料保持部に導入した後に、洗浄液および反応液や検出液等のいわゆる試料処理液を複数回入れ替える（置換する）必要が生じる場合がある。このような場合、マイクロ流路中の流路と試料保持部が特許文献１に記載されている様な配置関係であると、複数回の試料処理液の置換により、微粒子状試料が試料保持部から排出されて検出が不能になるという問題がある。
【０００６】
この問題を解決するため、つまり、微量試料である抗体が固定されたマイクロビーズを試料保持部に保持するために、非特許文献１では該試料保持部から先の流路の高さをマイクロビーズの直径以下にする技術が使用されている。しかし、非特許文献１に開示されているマイクロ流路は、微量試料を試料保持部に保持できるものの、試料処理液を全ての試料保持部に確実に留めることが不十分であった。
【０００７】
非特許文献１に記載されている検査ディスク（検出容器）には、複数のマイクロ流路が形成されており、各試料注入部から注入された処理液が、各マイクロ流路の試料保持部に遠心力等によって送液される。このとき、処理液は試料注入部から試料排出部まで、ほぼ抵抗なく滑らかに流れるため、全ての試料保持部に十分な量の当該処理液を保持させることが極めて困難であり、検出部として機能しない試料保持部の割合が多いという問題があった。
【０００８】
上記問題点を解決すべく、本発明の課題は、ほぼ全ての試料保持部において、試料検出のために十分な量の試料処理液が確実に保持される検出容器および試料検出方法を提供することにある。
【課題を解決するための手段】
【０００９】
前記課題を解決するために、本発明者らは鋭意研究を重ねた結果、試料保持部の下流側、すなわち試料排出部側のマイクロ流路に折り返し部を設けた検出容器、および当該検出容器を使用した試料検出方法を開発し、本発明を完成させた。
【００１０】
すなわち、本発明の検出容器は、２枚のプレートが貼り合わされた板状の試料測定用の容器であって、試料注入部と、該試料注入部に接続し、前記２枚のプレート間に配置されるマイクロ流路と、該マイクロ流路の途中に配置される試料保持部と、前記マイクロ流路の、前記試料注入部との接続端部とは反対の端部に接続して配置される試料排出部と、を備え、前記試料保持部と前記試料排出部との間に、前記マイクロ流路が、一旦前記試料注入部側に折り返す第１の折り返し部、つづいて前記試料排出部側に折り返す第２の折り返し部を有することにより、当該第１および第２の折り返し部が存在する部分の前記マイクロ流路の形状がＳ字様形状であることを特徴とする。
【００１１】
このとき、当該Ｓ字は、滑らかな形状であっても、クランクが連続した角部を有する形状、すなわち逆「コ」の字と「コ」の字が連続したような形状であっても、どちらでもよい。
【００１２】
好ましくは、前記第２の折り返し部と前記試料注入部との直線距離は、前記試料保持部の出口部と前記試料注入部との直線距離よりも短いことを特徴とする。ここで、出口部とは、前記試料保持部と、前記第１および第２の折り返し部が形成される側のマイクロ流路との接続部をいうものとする。
【００１３】
また、前記板状の試料測定用の容器はディスク状容器であり、前記試料注入部は前記ディスク状容器の中央部側の領域に配置され、前記試料排出部は、前記ディスク状容器の外周部の領域に配置されることが好ましい。さらに、前記ディスク状容器が、前記試料保持部、前記第１の折り返し部および第２の折り返し部を有する前記マイクロ流路を複数備え、該複数の前記マイクロ流路の各々に１つずつ前記試料注入部および前記試料排出部が接続され、該複数の前記マイクロ流路は、放射状に回転対称で配置されることがより好ましい。
【００１４】
また、本発明の試料検出方法は、試料注入部、試料保持部が配置されるマイクロ流路、および試料排出部を有する本発明の検出容器を使用し、前記試料注入部に、検査試料を含有する試料液を注入する工程と、該試料液を前記試料排出部の方向に向けて送液する工程と、前記検査試料を前記試料保持部に保持すると共に、前記マイクロ流路に前記試料液を満たす工程と、前記試料液とは成分が異なる試料処理液を前記試料注入部から注入して送液し、前記マイクロ流路内を該試料処理液で置換する工程と、前記試料保持部に保持された前記検査試料に前記試料処理液を作用させる工程と、該作用による応答を捕捉する工程と、を有することを特徴とする。
【発明の効果】
【００１５】
本発明の検出容器および試料検出方法によれば、検出容器中のほぼ全ての試料保持部において、試料検出のために十分な量の試料処理液が確実に保持され、よって、ほぼ全ての試料保持部において有効な試料測定（検出反応等）が可能となる。すなわち、１つの検出容器を用いて同時に、非常に高効率な試料検出（試料測定）を実施できるという効果を奏する。
【図面の簡単な説明】
【００１６】
【図１】本発明に係る検出容器の一実施形態を概略的に示す、上面から見た平面図である。
【図２】図１に示す検出容器の１本のマイクロ流路を概略的に示す、上面視の図である。
【図３】試料保持部と第２の折り返し部の配置関係を説明する図である。
【図４】試料保持部ならびに第１および第２の折り返し部の部分を拡大した図である。
【図５】第１および第２の折り返し部の別の実施形態を表す図である。
【図６】従来技術の検出容器の図である。
【図７】試料保持部とマイクロ流路の接続部の一実施形態を概略的に表す図である。（ａ）は上から見た平面図であり、（ｂ）はＸ−Ｘ線の矢視方向の断面図である。
【図８】実施例１に係る試料保持部への液保持性の結果を示すグラフ図である。
【図９】実施例２に係るα−フェトプロテインの検出結果を示すグラフ図である。
【図１０】実施例３に係るビスフェノールＡの検出結果を示すグラフ図である。
【発明を実施するための形態】
【００１７】
以下、本発明の実施の形態について、図を参照しながら詳細に説明する。
【００１８】
図１は、本発明の検出容器の一実施形態を示す図であり、ディスク状プレートに本発明の特徴的なマイクロ流路１が複数本、回転対称に配置されている。図１はマイクロ流路が２４本の場合の例示である。試料液は、ディスクの中央部側に配置された試料注入部２ａまたは２ｂから注入され、ディスク外周部の試料排出部７に向かって送液される。なお、本実施形態では、試料注入部が２ａおよび２ｂの２つある場合を示しているが、試料注入部は２ａのみの１つであってもよい。なお、試料液とは、測定（検出）試料を試料保持部３に移送するための、測定試料を含む液を指すものとする。
【００１９】
なお、図１では第１および第２の折り返し部が滑らかなＳ字様形状として描かれているが、クランクが連続した角部を有するＳ字様形状でもよく、図１はこれらの代表として、概略図を記載しているものである。
【００２０】
試料の測定（検出）に当たっては、試料保持部３に保持した試料を処理したり、洗浄したりするため、試料処理液や洗浄液を複数回にわたって試料保持部３に送液する必要がある。このとき、これらの試料処理液等は試料液とは別の試料注入部から送液する方が都合のよい場合があるため、試料注入部は２つあるほうが好ましい。
【００２１】
マイクロ流路１および試料保持部３は、貼り合わされたディスク状プレートの内部、すなわち、２枚のプレート間に形成されており、試料注入部２および検出容器１０の外周部に配置される試料排出部７で大気に開放されている。なお、図１ではマイクロ流路１、試料注入部２および試料保持部３が黒く塗りつぶされて描かれているが、多数の本発明のマイクロ流路を描くための便法であり、実際には図２に示すように試料液等が流動および保持される空間を有している。
【００２２】
測定試料は、試料液として試料注入部２に注入された後、例えば遠心力等によって試料保持部３へ送液され、試料が試料保持部３で保持され、試料搬送の役割を果たした液の大部分は、下流側のマイクロ流路１ｂの折り返し部を経由して試料排出部７から排出される。ここで、下流側とは試料排出部７側のことを指し、したがって、試料注入部２側は上流側であり、マイクロ流路１ａは上流側のマイクロ流路である。
【００２３】
以後、試料液中の試料搬送の役割を果たす液を、試料搬送液と称することとする。この試料搬送液は、上記のようにその大部分は試料排出部７から排出されるが、下流側マイクロ流路１ｂに折り返し部が存在することにより、試料保持部３および当該折り返し部に、その一部が保持される。
【００２４】
以上のようにして試料を試料保持部３に保持した後、試料測定のための試料処理液が試料注入部２から同様にして送液され、試料保持部３に留まっている試料搬送液を当該処理液で置換する。試料処理液は、化学反応による変性や発光等させるための処理液であり、複数の試料処理液を使用することもある。また、２段階以上の反応等を行う場合などにおいては、必要に応じて洗浄液を送液することもある。
【００２５】
続いて、下流側のマイクロ流路１ｂに形成される折り返し部について図２により詳しく説明する。図２は、本発明に係る検出容器の特徴部である、試料保持部３、第１の折り返し部５および第２の折り返し部６の配置関係を概略的に示す図である。下流側のマイクロ流路１ｂは、第１の折り返し部５で一旦試料注入部２側に折り返し、第２の折り返し部６で再び試料排出部７側に折り返す構造となっている。すなわち、当該２つの折り返し部でＳ字様形状を描くように下流側のマイクロ流路１ｂが形成されている。
【００２６】
試料保持部３の出口（下流側マイクロ流路１ｂとの接続部）から第１の折り返し部５までの距離は、０．２〜２ｍｍが好ましい。試料液等の送液効率と、試料処理液等の試料保持部３への保持性とのバランスがよいからである。ここで、上記距離は、図４に示した距離（長さ）ｘのことをいうものとする。図４は、試料保持部３および２つの折り返し部５，６の部分を拡大した図である。
【００２７】
第２の折り返し部６と試料注入部２との直線距離Ｌ１は、試料保持部３の出口部Ｐと前記試料注入部２との直線距離Ｌ２よりも短いことが好ましい。Ｌ１は、試料保持部３の中心部Ｑと前記試料注入部２との直線距離Ｌ３よりも短いことがより好ましい。試料測定に必要な有効量の試料処理液等を試料保持部３へ確実に保持できるからである。ここで、Ｌ１、Ｌ２およびＬ３は、図３に示した距離を、出口部Ｐおよび中心部Ｑは図３に示した点をいうものとする。また、Ｌ１の第２の折り返し部６側の起点は、図３に示すように当該第２の折り返し部６の中央部である。なお、試料注入部が２つ存在す場合の、起点とする試料注入部は、図３に示すように試料注入部２ａとする。
【００２８】
さらに好ましくは、第２の折り返し部６の位置は、図４に示すｙの距離（長さ）が、０．２〜２ｍｍとなる位置であることが好ましい。十分な量の試料処理液等を試料保持部３へ確実に保持できるからである。
【００２９】
Ｓ字様形状の、２つの折り返し部は、Ｒを有する曲線状の折り返しであっても、複数の角部を有するような折り返しであってもよい。例えば、図５に示すように２箇所の直角部を有し、「コ」の字または逆「コ」の字状に折り返していてもよい。あるいは、鈍角が連続した多角形の一部のような形状であってもよい。
【００３０】
なお、図２のマイクロ流路１ｃは、試料注入部が２つある場合において、試料注入部２ｂに接続し、マイクロ流路１ａに合流するマイクロ流路である。
【００３１】
第２の折り返し部６には、図２等に示すように空気流入部４が接続されていることが好ましい。空気流入部４は試料注入部２と同様、大気に開放されている。空気流入部４がこのように配置されていることにより、送液を終了するため遠心力が取り除かれた後、毛細管力によって液が不必要に試料排出部７から排出されてしまうことを防止することができる。すなわち、送液力がリリースされたとき、第２の折り返し部６から先の部分に存在する液のみが排出され、試料保持部３に保持されている試料液や試料処理液等が毛細管力によって排出されることを防ぐことができる。
【００３２】
以上説明したように、本発明の検出容器は、２つの折り返し部を有するマイクロ流路を有し、当該折り返し部の形状および試料保持部との配置関係が上記したような特別な特徴を有している。それによって、検出容器中のほぼ全ての試料保持部において、試料検出のために十分な量の試料処理液が確実に保持され、非常に高効率な試料検出（試料測定）を実施できるという顕著な効果を奏する。特に、試料量が極わずかしか確保できない微量試料の定性および定量に優れた効果を発揮する。なお、マイクロ流路および試料保持部（試料検出部）は微小であるので、微細試料の検出に好適である。
【００３３】
これに反して、図６に示すような、従来技術による検出容器２０では、試料処理液等は試料注入部２２から試料排出部２７まで、ほぼ抵抗なく滑らかに流れるため、全ての試料保持部２３に十分な量の当該処理液等を保持させることが困難である。マイクロ流路２１が、全行程でほぼ試料排出部側方向に向かっているため、送液のための遠心力等をリリースしたとき、試料自体は試料保持部２３に保持されても試料搬送液や試料処理液は、慣性力によって試料排出部から排出されてしまう。
【００３４】
したがって、遠心力をリリースするとき，非常に繊細な制御が必要であり、また、そのように制御しても、試料処理液を全ての試料保持部に確実に留めることが極めて困難である。検出容器の重心の極わずかなズレにより、複数あるマイクロ流路ごとの遠心力等による送液力に違いが出てくるからである。
【００３５】
以下、図１の検出容器１０を例として、本発明の検出容器、およびそれを使用した微量試料の検出方法についてさらに具体的に説明する。
【００３６】
まず、検出容器１０の素材としては、熱可塑性樹脂若しくは熱硬化性樹脂等の高分子材料、セラミックス、ガラス、シリコン又は金属等の任意の素材が使用できる。密閉性、微細加工性の点でガラス、シリコン、高分子材料、又はこれらの組み合わせが好ましい。高分子材料としては、例えばポリジメチルシロキサン（ＰＤＭＳ）等のシロキサン類を使用することができる。なお、検出容器１０は、試料保持部３およびマイクロ流路１の状況を肉眼的または光学的に観察するために、少なくとも片面が透明となるように構成されることが好ましい。すなわち、全て透明素材を使用するか、ディスク状の透明素材と不透明素材を張り合わせて作製する方法を選択することが好適である。
【００３７】
本発明の実施形態においては、試料液および試料処理液等は、試料注入部２に注入された後、ディスク状の検出容器１０を回転させて遠心力により送液されることが好ましい。微量試料を効率よく均等に試料保持部３に捕捉・保持させることができ、作業時間も短くて済むからである。したがって、検出容器１０は薄い円盤状であることが好ましいが、円盤状（ディスク状）に限定されるわけではなく、上面視、三角形、四角形（例えば正方形）、正六角形、正八角形等の多角形の薄い板状であってもよい。
【００３８】
図１の検出容器１０は、２４本の独立したマイクロ流路を有する例であるが、マイクロ流路は検出容器に１〜２３本であっても、２４本より多くてもよい。１つの検出容器で、多数のサンプルを同時に分析したり、あるいは、条件を変化させた一連の試料液、あるいは試料処理液を調製して分析したりすることができる点で、複数の独立したマイクロ流路を有することが好ましい。
【００３９】
また、出来るだけ多くの流路を形成するために、複数の独立したマイクロ流路は、対称的あるいは均等的な位置（または配置）関係で該検出容器中に形成されるのが好ましい。例えば、検出容器１０のようにディスク状検出容器の中心点に対して点対称または回転対称に、試料注入部も含めて配置されることが好ましい。回転対称の場合、マイクロ流路の本数によりその回数が決められる。例えば、分岐マイクロ流路が４本配置される場合、４回回転対称に配置されるのが好ましい。
【００４０】
なお、図１では、試料排出部７は検出容器１０の外周側面に配置される形態であるが、外周の上面にマイクロ流路１ｂと接続する試料排出部を設けて、試料液等が当該試料排出部に排出されるようにしてもよい。
【００４１】
検出容器１０を使用して微量試料を検出する方法の例は、例えば、次の通りである。まず、試料を含有する試料液を試料注入部２ａに注入し、検出容器１０を回転用のステージに設置する。または、検出容器１０をステージに設置してから試料液を注入してもよい。なお、試料としてはマイクロビーズに化学物質を担持させた微細試料、細胞あるいはウィルス等を例示でき、試料は試料液中で懸濁または分散している。なお、細胞等は、そのままでも、またはマイクロビーズ等の極微小担体に担持してもよい。
【００４２】
つづいて、検出容器１０を数百回転〜数千回転で、数秒〜１分間程度回転させて試料を含有する試料液を遠心力により送液する。当該回転は、例えば、再生のためにＣＤを回転させる要領、あるいは半導体製造工程でのスピンコートの要領であり、回転装置としては、例えばスピンコーターやそれに類似した装置を使用することができる。当該回転操作により、試料を含有する試料液が送液され、試料保持部３に試料と試料搬送液が保持される。なお、試料保持部３に入りきらない試料搬送液は、第１の折り返し部５および第２の折り返し部６を有するマイクロ流路１ｂを通過して試料排出部７から排出される。
【００４３】
試料を試料保持部３に留めるために、次のような方法をとることができる。すなわち、図７に示したように、マイクロ流路１ｂの深さ（高さ）を、マイクロ流路１ａや試料保持部３の深さと比較して非常に小さく形成する。これにより、試料保持部３からマイクロ流路１ｂへの接続部で段差が形成されるため、当該段差によって試料８は保持されて、試料搬送液のみがマイクロ流路１ｂへと流れていく。
【００４４】
第１の折り返し部５および第２の折り返し部６が形成されていることにより、試料搬送液は、その全てが試料排出部７から流出するわけではなく、試料保持部３および２つの折り返し部の間のマイクロ流路内に留まる。空気流入部４が形成されていれば、上記した毛細管力の影響を排除できるので、より確実に試料搬送液が当該箇所に留まることとなる。
【００４５】
試料搬送液およびその他の溶液が、試料保持部３に確実に留まる理由については後述するが、本発明の検出容器では、当該２つの折り返し部の存在により、３０００−５０００ｒｐｍ程度の回転による遠心力を継続しても、必要な液量を試料保持部３内に留まらせ続けることが可能である。
【００４６】
試料保持部３に保持された試料８を洗浄する必要がある場合は、洗浄液を試料注入部２ａまたは２ｂから同様に送液して、試料保持部３の試料搬送液を洗浄液で置換すると共に試料８を洗浄する。洗浄液の送液回数（置換回数）は、それぞれの検出（測定）ごとに必要な洗浄度を達成するように適宜決定すればよい。
【００４７】
所望の洗浄が完了したら、試料８を検出するための反応液等の試料処理液を、試料注入部２ａまたは２ｂに注入して、上記と同様に送液する。このとき、必要に応じて試料処理液についても数回送液する場合もあり得る。これにより、試料保持部３の洗浄液が試料処理液で置換されると共に、試料処理液が試料８に作用し、当該試料処理液と試料８の組み合わせに特有の応答が得られる。
【００４８】
また、試料と試料処理液とで反応を行った場合、未反応物を除くために反応後に洗浄液を送液する場合もある。あるいは、残存する試料処理液が発光等の試料検出の障害となる場合なども洗浄液で洗浄する。
【００４９】
なお、極微量の試料が試料注入部２ａやマイクロ流路１ａに付着している場合が考えられるので、試料処理液は試料注入部２ｂに注入してマイクロ流路１ｃ経由で送液する方が好ましい。マイクロ流路１ａ内で試料と処理液との反応が起こり、試料保持部３での反応等の定量的検出に悪影響を及ぼす可能性もあるからである。
【００５０】
なお、洗浄液での洗浄操作が行われる場合を説明したが、当然、当該洗浄操作が不要の場合もあり得る。なお、洗浄液および試料処理液での置換の程度は、各検出反応等によって異なるので、要求される条件を満足するように洗浄液および試料処理液の送液回数を決定すればよい。
【００５１】
それぞれの検出に特有の応答を捕捉することによって、目的とする試料８の検出ができ、定性あるいは定量が可能となる。当該応答としては、例えば、試料８特有の蛍光発光などがあり、その捕捉としては、例えば、蛍光顕微鏡での観察、カメラ撮影およびコンピュータによる記録、解析等が挙げられる。以上の方法によって、試料８の正確な検出を効率よくかつ簡便に実施することができる。
【００５２】
上記した、検出容器１０を例示しての検出方法の最大の特徴を図２および図３で説明すると次のようになる。すなわち、その特徴は、下流側のマイクロ流路１ｂが２つの折り返し部５，６を有することにより、送液力の精緻な制御を必要とせず、各液を確実に試料保持部３に保持できる点にある。特に、反応等に必要な量の試料処理液を、検出部である試料保持部３に容易に留まらせることができる点が最大の特徴である。
【００５３】
図６に示すような従来の検出容器２０においては、送液力を制御したとしても、反応等に必要な量の試料処理液を試料保持部２３に保持できず、不安定な検出反応により、貴重な微量試料を損失する場合が少なくなかった。本発明の実施形態に係る検出容器では、この損失を大幅に低減することができる。
【００５４】
図１に示すような複数のマイクロ流路を有する検出容器１０においては、特に、この特徴は非常に大きな利点である。特定の要因を変動させ、他は同一条件で測定するような場合において、損失がほとんどないため、信頼性の高い解析データを得ることができるからである。
【００５５】
次に、本発明に係るマイクロ流路によって、試料処理液等が確実に試料保持部に保持される理由について図２を例にして説明する。試料処理液を遠心力によって送液した場合、試料保持部３の容積以上の過剰な部分は試料排出部７から排出される。液量が減少し、試料保持部３と２つの折り返し部５，６間のマイクロ流路内を合わせた容積量程度となったとき、試料保持部３側の液面と第２の折り返し部６側の液面とが、検出容器１０の中心から等距離となる点が発生する。このとき、第１の折り返し部５を境に、力の方向が逆となるように遠心力が働いて釣り合い、試料処理液のそれ以上の流出が止まるわけである。
【００５６】
この力の釣り合いを利用して、試料測定に必要な有効量の試料処理液を試料保持部３へ確実に保持するために、第２の折り返し部６と試料注入部２ａとの直線距離Ｌ１は、図３ａに示したように試料保持部３の出口部Ｐと試料注入部２ａとの直線距離Ｌ２よりも短いことが好ましい。試料注入部２ａを起点としたのは、試料注入部は検出容器１０の中心のほぼ延長上にあるからである。また、出口部Ｐを基準とした理由は、試料保持部３の容積は安全率を見積もって決められており、必ずしも試料保持部３内全てが試料処理液で満たされる必要は無いからである。
【００５７】
試料保持部３内に多くの試料処理液が存在することが好ましいので、Ｌ１は、試料保持部３の中心部Ｑと前記試料注入部２ａとの直線距離Ｌ３よりも短いことがより好ましい。さらに好ましくは、第２の折り返し部６の位置は、図４に示すｙの距離（長さ）が、０．2〜2ｍｍとなる位置であることが好ましい。試料処理液等で試料保持部３をほぼ満たすことができるからである。
【００５８】
以上本発明に係る検出方法について、図１の検出容器１０を例にとって説明したが、検出容器としては、検出容器１０の形態のものに限られるわけではなく、試料注入部２が１つのものであっても、２つの折り返し部が、図５に示す形状のものであってもよい。また、検出容器の外観もディスク状に限られることなく、上記した多角形状であってもよい。
【００５９】
これらの他の形態の検出容器での検出方法は、検出容器１０で例示した方法を同様に適用することができる。なお、上記検出容器１０を使用した検出方法の説明では、回転による遠心力を利用する方法を説明したが、検出容器の形態によっては、遠心力の代わりに、例えば、重力を利用してもよい。または、試料液もしくは試料処理液等の注入時にマイクロピペット等を使用して圧縮力を加える方法によってもよい。操作の簡便さ、処理操作の均質性および短時間での操作が可能な点等において、上記回転の遠心力を利用することが好ましい。
【００６０】
マイクロ流路１は検出容器に１本（１組）であってもよい。しかし、効率の点では図１のように複数本形成されていることが好ましい。また、マイクロ流路１を形成可能な上限は、検出容器の大きさ、例えば、ディスク状プレート型の場合はその直径によっても影響されるので、一概には決められない。実用的には、５０本以下程度である。ディスク状の検出容器としての実用的な大きさが、数ｃｍ〜数１０ｃｍ、好ましくは５ｃｍ〜３０ｃｍ程度であるからである。
【００６１】
つづいて、マイクロ流路１、試料注入部２、試料保持部３および空気流入部４等の概略の大きさについて、図２および図７を参照しながら説明する。まず、試料注入部２ａの開口部の面積は、試料液等の供給のし易さの点で、０．５〜１０ｍｍ２が好ましい。この場合、試料注入部２ａの容積は０．５〜１５ｍｍ３程度となる。試料注入部２ｂおよび空気流入部４もほぼ同程度の大きさである。
【００６２】
上流側のマイクロ流路１ａおよび１ｃは、その幅が５０〜２５０μｍであり、深さ（高さ）が３０〜１５０μｍである。または、該マイクロ流路の断面が円形である場合は、その直径が３０〜２００μｍである。あるいは、その断面は、その断面積が同程度の楕円形状であってもよい。ただし、試料が通過できる大きさでなければならないので、試料の大きさを勘案して前記範囲内で決定する。
【００６３】
一方、下流側のマイクロ流路１ｂは、図７に示すように、幅はマイクロ流路１ａとほぼ同じであるが、試料の流出を防止するためにその深さ（高さ）はかなり小さいものとする。すなわち、その幅は５０〜２５０μｍであり、深さは５〜１６μｍである。ただし、試料８が試料保持部３で留まり、マイクロ流路１ｂへ流出しない必要があるため、試料の大きさを勘案して前記範囲内でその深さを決定する。
【００６４】
試料保持部３は、その幅がマイクロ流路１の幅の１．５〜５倍程度であり、その長さは１００〜３０００μｍが好ましい。また、その深さは、図７ｂに示すようにマイクロ流路１ａの深さと同程度であることが好ましい。十分な量の試料処理液を保持することができ、検出反応を確実に実施できるからである。
【００６５】
試料保持部３の出口部から、第２折り返し部６で折り返した後のマイクロ流路１ｂに垂線をおろしたとき、その垂線の長さが、０．８〜５ｍｍ程度となるように折り返し部を形成することが好ましい。加工性および複数のマイクロ流路を配置するためのコンパクト性の点を考慮してのことである。
【００６６】
次に、上記した本発明に係る検出容器の製造方法について説明する。例えば、各マイクロ流路と試料保持部のパターンを有する上記した材質のシート又はプレートと、試料注入部を有する平坦なシート又はプレートとを貼り合わせることにより製造することができる。また、該試料注入部は、各流路と試料保持部のパターンを有するシート又はプレートに形成されていてもよい。あるいは、各マイクロ流路、試料保持部および試料注入部のパターンが、２枚のシート又はプレートに分割して作製されたもの（例えば略面対称の形）を、貼り合わせて検出容器を製造してもよい。光学的な観察及び解析に適する点で、該検出容器の厚さは１ｍｍ〜３ｍｍが好ましい。
【００６７】
これらの各マイクロ流路と試料保持部等のパターンを有するシートは、金型でのプレスによって、または金型に熱可塑性樹脂等の流動性の素材を流し込むことで作製することができる。あるいは、厚膜のリソグラフィーにより凸型のパターンを形成し、該パターン上に熱可塑性樹脂等の流動性の素材を流し込んで作製してもよく、シート又はプレートに直接、機械加工やフォトリソグラフィーを用いたエッチングにより作製してもよい。
【００６８】
本発明の検出容器によれば、例えば、複数回の処理が必要な試料について、処理ごとに試料処理液を試料保持部に確実に保持することできる。したがって、測定不備による貴重な試料の損失を発生させることなく、正確に効率よくかつ簡便に、試料の定性あるいは定量測定を行うことができる。
【００６９】
測定可能な試料としては、生物学的材料または微細粒子などに付着した微量化学物質を例示することができる。生物的材料についてはそのままでも、またはマイクロビーズ等の極微小担体に担持させた状態でも検出することが可能である。この生物学的材料としては、例えば、各種細胞、細菌、真菌、ウィルスまたは遺伝子等を挙げることができる。
【００７０】
本発明においてマイクロビーズを使用する場合、当該マイクロビーズは、球体、多面体、卵状、ラグビーボール状、またはゴルフボールのように表面に多数のディンプルを有する球体等の形状であってよく、特にその形状は制限されない。なお、マイクロビーズが球体である場合には、その直径は１μｍ以上、５０μｍ以下であり、試料保持部に効果的に保持させる点で５μｍ以上が好ましい。また、同様の理由により３０μｍ以下が好ましい。マイクロビーズが球体以外の形状である場合においても、上記のサイズとほぼ同程度であることが好ましい。
【００７１】
また、マイクロビーズの材質としては、タンパク質等が好適に担持されれば特に制限はなく、ガラス、ポリスチレンまたはポリカーボネート等の樹脂、金または銀等の金属、およびステンレス等の金属化合物を使用することができる。安価で軽量である点で樹脂製のマイクロビーズが好ましい。
【００７２】
微細粒子などに付着した微量化学物質としては、例えば、事故、犯罪等の現場で回収された微細塗料破片、体液等が付着した微細物質等を挙げることができ、事故原因、犯罪解決等に応用可能である。
【００７３】
＜実施形態＞
以下、本発明の実施の形態について具体例を挙げて詳細に説明する。
【００７４】
検出容器の作製
まず、直径４インチのシリコンウェハーを用いて折り返し部を有するマイクロ流路の鋳型を作製した。シリコンウェハー上に、フォトレジスト（ＳＵ−８  ２００５）を滴下し、スピンコーターで３０００ｒｐｍ、３０秒間回転させて均一な厚さ（４５μｍ）に塗り広げた。これをホットプレートで、６５℃で５分間および９５℃で１５分間加熱（プレベーク）した。その後、流路パターンのフォトマスクと共にマスクアライナーにセットし、ＵＶ（３５０ｎｍ）を９０秒間照射した。さらに、ホットプレートで、６５℃で１分間および９５℃で１分間加熱（ポストベーク）した。
【００７５】
次に、フォトレジスト（ＳＵ−８  ２０３５）を滴下し、スピンコーターで３０００ｒｐｍ、３０秒間回転させて均一な厚さ（１５μｍ）に塗り広げた。これをホットプレートで、６５℃で５分間および９５℃で１５分間加熱（プレベーク）した。その後、ビーズせき止め部分のパターンのフォトマスクと共にマスクアライナーにセットし、ＵＶ（３５０ｎｍ）を９０秒間照射した。さらに、ホットプレートで、６５℃で１分間および９５℃で１分間加熱（ポストベーク）した。その後、ＳＵ−８現像液中で洗浄を行い、未重合のレジストを除去したのち、ドライ窒素ガスで乾燥させて鋳型を完成させた。
【００７６】
この鋳型に対し、ポリジメチルシロキサン（ＰＤＭＳ）のプレポリマー（ダウコーニング社製シルガード１８４）を流しこみ、７０℃で熱硬化させた。硬化したＰＤＭＳシートを鋳型から取り出し、試料注入部が大気に開放するように成形したのち、凹部が形成されたシート表面に対して、当該シートと同じ形の平滑なガラスを張り合わせて、図１に示したようなマイクロ流路を有する検出容器を作製した。ただし、マイクロ流路の数は３２本とし、図１と同様、回転対称で放射状に配置した。当該検出容器は、その直径が１００ｍｍ、厚さが１．８ｍｍのディスク形状のものである。本検出容器では２つの折り返し部を、図４に示したｘが０．５ｍｍ、ｙが０．５ｍｍとなるように形成した。
【００７７】
本実施形態で作製した前記検出容器の試料注入部２の開口部の上面部面積は約１ｍｍ２である。また、マイクロ流路１ａおよび１ｃの「幅×深さ」は「２００μｍ×５６μｍ」、試料保持部３の容積は０．０２０ｍｍ３（平均幅×長さ×深さ＝３５０μｍ×１０００μｍ×５６μｍ）、マイクロ流路１ｂの「幅×深さ」は「２００μｍ×５μｍ」である。
【００７８】
１．実施例１：試料保持部への液保持性
上記作製した検出容器を使用して液保持性の試験を行った。
直径２０μｍの球体状ポリスチレンマイクロビーズの２０００個／μＬに調製した水懸濁液１．０μＬを、試料注入部から３２本全てのマイクロ流路に注入した。つづいて、遠心力（５０００ｒｐｍ、３０秒間）により試料保持部に送液することによって、当該マイクロビーズ水懸濁液を試料保持部に保持させた。さらに、リン酸緩衝液（０．１Ｍ，ｐＨ７．０）を遠心力（５０００ｒｐｍ、３０秒間）により試料注入部から試料保持部に送液し、マイクロビーズ水懸濁液の水と置換した。
【００７９】
３２箇所の試料保持部における当該リン酸緩衝液の保持性を目視観察した。試料保持部の容積に対して概略５０％以上の量のリン酸緩衝液が保持されている試料保持部をカウントした。当該カウントは、経時によっても観察した。結果を図８に示す。図８から明らかなように、送液直後は３２箇所の試料保持部全てに所定量のリン酸緩衝液が保持され、送液後３０分経過後においても、２８箇所の試料保持部に所定量のリン酸緩衝液が保持されていた。
【００８０】
２．比較例１：折り返し部の無い従来のディスク型検出容器を使用した液保持性
直径および厚さが実施例１の検出容器とほぼ同じである、従来のディスク型検出容器を使用して、実施例１と同様にして液保持性を試験した。結果を図８に示す。図８から明らかなように、リン酸緩衝液は、送液直後には２３箇所、３０分経過後には６箇所の試料保持部にしか保持されていなかった。
【００８１】
３．実施例２：α−フェトプロテインの検出
上記作製した検出容器を使用し、以下の方法でα−フェトプロテイン（ＡＦＰ）の検出を行った。検出方法としては、酵素免疫測定法（ＥＬＩＳＡ）の中のサンドイッチ法を採用した。なお、ＡＦＰはヒトの肝臓がんのマーカー物質として知られている。
【００８２】
（１）マウス−抗ＡＦＰ抗体修飾ビーズ（直径２０μｍ）リン酸緩衝液懸濁液の約１μＬを、３２の各試料注入部２ａに注入し、検出容器を回転（５，０００ｒｐｍ、３０秒間）させて各試料保持部３に送液した。このとき、各試料保持部３にはそれぞれ約２，０００個の当該ビーズが保持されるように注入量を決定した。検出容器の回転には、スピンコーター（ミカサ株式会社製  Ｏｐｔｉｃｏａｔ  ＭＳ−Ａ１００）を使用した。
（２）４種類の濃度のＡＦＰ水溶液（２５０，５０，１０，２ｎｇ／ｍＬ）およびブランクを、各６または７サンプルずつ（合計３２サンプル）、各試料注入部２ａに各１μＬを注入し、検出容器を回転（５，０００ｒｐｍ、３０秒間）させて各試料保持部３に送液した。同様の送液操作を３回繰り返した（すなわち、各サンプルとも計３μＬを送液した）。その後、室温で１５分間保持して、反応させた。
（３）反応後、３２全ての試料保持部３を次のようにして洗浄した。洗浄用緩衝液（ＴＢＳＴ：Ｔｒｉｓ  Ｂｕｆｆｅｒｅｄ  Ｓａｌｉｎｅ  Ｔｗｅｅｎ）を、各試料注入部２ｂに各１μＬ注入し、検出容器を回転（５，０００ｒｐｍ、３０秒間）させて各試料保持部３に送液した。同様の送液操作を５回繰り返した。
（４）洗浄後、３２全ての試料注入部２ｂにウサギ−抗ＡＦＰリン酸溶液（ｐＨ７．０）（濃度２．２μｇ／ｍＬ）を、各１μＬ注入し、検出容器を回転（５，０００ｒｐｍ、３０秒間）させて各試料保持部３に送液した。同様の送液操作を３回繰り返した。その後、室温で１５分間保持して、反応させた。
（５）反応後、（３）と同様の方法で洗浄した。
（６）洗浄後、ＨＲＰ（Ｈｏｒｓｅ  Ｒａｄｉｓｈ  Ｐｅｒｏｘｉｄａｓｅ）抗ウサギＩｇＧリン酸溶液（ｐＨ７．０）を、各試料注入部２ｂに各１μＬ注入し、検出容器を回転（５，０００ｒｐｍ、３０秒間）させて各試料保持部３に送液した。同様の送液操作を３回繰り返した。その後、室温で１５分間保持して、反応させた。ＨＲＰ抗ウサギＩｇＧリン酸溶液（ｐＨ７．０）としては、市販のＨＲＰ抗ウサギＩｇＧを０．１Ｍのリン酸緩衝液で１，０００倍希釈したものを使用した。
（７）反応後、（３）と同様の方法で洗浄した。
（８）洗浄後、ルミノール溶液を、各試料注入部２ｂに各１μＬ注入し、検出容器を回転（５，０００ｒｐｍ、３０秒間）させて各試料保持部３に送液した。同様の送液操作を３回繰り返した。これにより、酵素反応後のＡＦＰが発光し、その発光強度をイメージングアナライザーで測定した。その結果を図９に示す。
【００８３】
以上の一連の検出操作において、どの段階の反応においても全ての試料保持部３に有効量の反応液（試料処理液）を保持することができたので、４種類の濃度のＡＦＰ全てのサンプルで発光強度を測定でき、図９に示すように統計処理することができた。なお、濃度２５０μｇ／ｍＬの信頼区間が広いが、濃度が高すぎて、発光検出には不適であったためと考えられる。
【００８４】
４．実施例３：ビスフェノールＡの検出
上記作製した検出容器を使用し、以下の方法でビスフェノールＡ（ＢＰＡ）の検出を行った。検出方法としては、酵素免疫測定法（ＥＬＩＳＡ）の中の競合法を採用した。なお、ＢＰＡは内分泌撹乱物質として知られている。
（１）ウサギ抗ＢＰＡ抗体修飾ビーズ（直径２０μｍ）リン酸緩衝液懸濁液の約１μＬを、３２の各試料注入部２ａに注入し、検出容器を回転（５，０００ｒｐｍ、３０秒間）させて各試料保持部に送液した。このとき、各試料保持部３にはそれぞれ約２，０００個の当該ビーズが保持されるように注入量を決定した。ウサギ抗ＢＰＡ抗体としては、コスモ・バイオ株式会社製のＦＫＡ６０６−Ｅを使用した。また、検出容器の回転には、実施例２と同様、スピンコーターを使用した。
（２）４種類の濃度のＢＰＡ水溶液（２５０，６２．５，１５．６，３．９ｎｇ／ｍＬ）を調製し、各濃度とも、ＨＲＰ標識抗原液の０．１Ｍリン酸緩衝液１０，０００倍希釈品と１：１に混合して混合溶液を調製した。また、０．１Ｍリン酸緩衝液１０，０００倍希釈品をブランクとした。当該４種類の濃度のＢＰＡ混合溶液およびブランクを、各６または７サンプルずつ（合計３２サンプル）、各試料注入部２ａに各１μＬを注入し、検出容器を回転（５，０００ｒｐｍ、３０秒間）させて各試料保持部３に送液した。同様の送液操作を３回繰り返した（すなわち、各サンプルとも計３μＬを送液した）。その後、室温で１５分間保持して、反応させた。ＨＲＰ標識抗原液は、コスモ・バイオ株式会社製のＦＫＡ６０５を使用した。
（３）反応後、３２全ての試料保持部３を次のようにして洗浄した。洗浄用緩衝液（ＴＢＳＴ）を、各試料注入部２ｂに各１μＬ注入し、検出容器を回転（５，０００ｒｐｍ、３０秒間）させて各試料保持部３に送液した。同様の送液操作を５回繰り返した。
（４）洗浄後、ルミノール溶液を、各試料注入部２ｂに各１μＬ注入し、検出容器を回転（５，０００ｒｐｍ、３０秒間）させて各試料保持部３に送液した。同様の送液操作を３回繰り返した。これにより、酵素反応後のＢＰＡが発光し、その発光強度をイメージングアナライザーで測定した。発光強度から反応阻害率（％）を算出した結果を図１０に示す。
【００８５】
以上の一連の検出操作において、全ての試料保持部３に有効量の反応液（試料処理液）を保持することができたので、ブランクおよび４種類の濃度のＢＰＡ全てのサンプルで発光強度を測定でき、図１０に示すように統計処理することができた。なお、反応阻害率は、ブランクの発光強度を基準とし、それぞれの濃度での発光強度をブランクの発光強度に対する百分率で表した。図１０から明らかなように、反応阻害率はＢＰＡ濃度に応じて減少し、検出反応が良好に行われたことを示している。
【産業上の利用可能性】
【００８６】
本発明によれば、各種細胞、細菌、真菌、ウィルスまたは遺伝子等を、そのままで、またはマイクロビーズ等の極微小担体に担持した状態で簡便に検出することが可能である。したがって、複雑な検出反応が必要となる、食品検査、臨床検査、水質検査あるいは医薬品開発への応用が可能である。
【符号の説明】
【００８７】
１、１ａ、１ｂ、２１  マイクロ流路
２、２ａ、２ｂ、２２  試料注入部
３、２３  試料保持部
４  空気流入部
５  第１の折り返し部
６  第２の折り返し部
７、２７  試料排出部
８  試料
１０  検出容器
２０  従来技術の検出容器
Ｐ  試料保持部の出口部
Ｑ  試料保持部の中心部
Ｌ１  第２の折り返し部と試料注入部との直線距離
Ｌ２  試料保持部の出口部と試料注入部との直線距離
Ｌ３  試料保持部の中心部と試料注入部との直線距離
【図１】
2013156070.tif 000003
【図２】
2013156070.tif 000004
【図３】
2013156070.tif 000005
【図４】
2013156070.tif 000006
【図５】
2013156070.tif 000007
【図６】
2013156070.tif 000008
【図７】
2013156070.tif 000009
【図８】
2013156070.tif 000010
【図９】
2013156070.tif 000011
【図１０】
2013156070.tif 000012